(57)【特許請求の範囲】
【請求項１】
商品に関する情報を示す商品レコードを複数記憶するデータベースを有し、前記データベースから前記商品レコードを取得して台紙ファイルに割り付けて組版処理を行う組版装置であって、
各前記商品の属性情報を前記商品レコードにそれぞれ対応づけて記憶する前記データベースと、
前記データベースから取得した前記商品レコードごとに、小組レイアウトデータに従って当該商品レコードを割り付けて小組を作成する小組作成手段と、
複数の前記小組それぞれに割り付けられた前記商品レコードに対応する前記属性情報に基づいて、前記属性情報が同一の複数の前記小組を配置した台紙ファイルを前記属性情報ごとに生成する台紙ファイル生成手段と、
を有することを特徴とする組版装置。
【請求項２】
請求項１に記載の組版装置であって、
前記商品レコードは、前記商品を特定する識別情報を含み、
前記属性情報を、前記識別情報と同一値に設定する設定手段を有することを特徴とする組版装置。
【請求項３】
商品に関する情報を示す商品レコードを記憶するデータベースを有し、前記データベースから前記商品レコードを取得して台紙ファイルに割り付けて組版処理を行なう組版装置が行なう台紙ファイル生成方法であって、
前記データベースは、各前記商品の属性情報を前記商品レコードにそれぞれ対応づけて記憶しており、
前記組版装置が、前記データベースから取得した前記商品レコードごとに、小組レイアウトデータに従って当該商品レコードを割り付けて小組を作成し、
前記組版装置が、複数の前記小組それぞれに割り付けられた前記商品レコードに対応する前記属性情報に基づいて、前記属性情報が同一の複数の前記小組を配置した台紙ファイルを前記属性情報ごとに生成することを特徴とする台紙ファイル生成方法。
【請求項４】
請求項３に記載の台紙ファイル生成方法であって、
前記商品レコードは、前記商品を特定する識別情報を含み、
前記属性情報を、前記識別情報と同一値に設定することを特徴とする台紙ファイル生成方法。
【請求項５】
商品に関する情報を示す商品レコードを記憶するデータベースを有し、前記データベースから前記商品レコードを取得して台紙ファイルに割り付けて組版処理を行う組版装置における台紙ファイル生成プログラムであって、
前記データベースは、各前記商品の属性情報を前記商品レコードにそれぞれ対応づけて記憶し、
前記組版装置を、前記データベースから取得した前記商品レコードごとに、小組レイアウトデータに従って当該商品レコードを割り付けて小組を作成する小組作成手段と、複数の前記小組それぞれに割り付けられた前記商品レコードに対応する前記属性情報に基づいて、前記属性情報が同一の複数の前記小組を配置した台紙ファイルを前記属性情報ごとに生成する台紙ファイル生成手段として機能させることを特徴とする台紙ファイル生成プログラム。
【請求項６】
請求項５に記載の台紙ファイル生成プログラムであって、
前記商品レコードは、前記商品を特定する識別情報を含み、
前記組版装置を、前記属性情報を前記識別情報と同一値に設定する設定手段として機能させることを特徴とする台紙ファイル生成プログラム。
【発明の詳細な説明】
【技術分野】
【０００１】
本発明は、台紙ファイルに商品レコードを割り付けてチラシやカタログを製作するための組版装置の技術分野に関し、特に、複数の商品からなるセット商品の商品レコードが割り付けられた台紙ファイルを生成する組版装置等の技術分野に関する。
【背景技術】
【０００２】
カタログやチラシ等を作成するためのＤＴＰ編集を効率的に進めるために、ＤＴＰ編集レイアウトソフトを応用した自動組版システムが開発され、実用化されている。例えば、特許文献１に記載のページレイアウトシステムは、商品番号・商品名・価格・商品説明等の情報からなるテキストデータ、画像データ、テンプレートとなる小組ファイル、紙面データとなる台紙を準備し、テキストデータ及び画像データを小組ファイルに割り付けて、１つの台紙に自動組版を行なうものである。
【０００３】
最近ではカタログやチラシ等のデザイン性に対する要求度が高まっており、たとえば、複数の商品からなるセット商品のデザイン作業を行なう場合、オペレータがそれぞれの商品のコマを手作業で統合し、オペレータがセット商品の商品レコードだけが割り付けられた台紙を作成し、例えばプロのデザイナーに渡してセット商品のデザイン作業依頼をしている。
【先行技術文献】
【特許文献】
【０００４】
【特許文献１】特開２０００−０２９８７５号公報
【発明の概要】
【発明が解決しようとする課題】
【０００５】
従来技術を利用して自動組版を行ない、セット商品用の商品レコードだけが割り付けられた台紙を作成しようとする場合、台紙にはセット商品以外の商品のコマも配置されているため、オペレータは、セット商品以外の商品のコマを台紙から削除し、セット商品の対象となる商品のコマだけを選択して統合していかなければならない。そのため、対象のコマを探すために時間がかかり、作業効率が悪い。また、誤って削除してはならないコマを削除したりといったミスも発生する可能性もある。
【０００６】
そこで、本発明は、このような問題等に鑑みて為されたもので、セット商品の対象となる複数の商品レコードが割り付けられた台紙ファイルを生成することができる組版装置等を提供することを課題とする。
【課題を解決するための手段】
【０００７】
上記課題を解決するために、請求項１に記載の発明は、商品に関する情報を示す商品レコードを複数記憶するデータベースを有し、前記データベースから前記商品レコードを取得して台紙ファイルに割り付けて組版処理を行う組版装置であって、各前記商品の属性情報を前記商品レコードにそれぞれ対応づけて記憶する前記データベースと、前記データベースから取得した前記商品レコードごとに、小組レイアウトデータに従って当該商品レコードを割り付けて小組を作成する小組作成手段と、複数の前記小組それぞれに割り付けられた前記商品レコードに対応する前記属性情報に基づいて、前記属性情報が同一の複数の前記小組を配置した台紙ファイルを前記属性情報ごとに生成する台紙ファイル生成手段と、を有することを特徴とする組版装置である。
【０００８】
上記課題を解決するために、請求項２に記載の発明は、請求項１に記載の組版装置であって、前記商品レコードは、前記商品を特定する識別情報を含み、前記属性情報を前記識別情報と同一値に設定する設定手段を有することを特徴とする組版装置である。
【０００９】
上記課題を解決するために、請求項３に記載の発明は、商品に関する情報を示す商品レコードを記憶するデータベースを有し、前記データベースから前記商品レコードを取得して台紙ファイルに割り付けて組版処理を行なう組版装置が行なう台紙ファイル生成方法であって、前記データベースは、各前記商品の属性情報を前記商品レコードにそれぞれ対応づけて記憶しており、前記組版装置が、前記データベースから取得した前記商品レコードごとに、小組レイアウトデータに従って当該商品レコードを割り付けて小組を作成し、前記組版装置が、複数の前記小組それぞれに割り付けられた前記商品レコードに対応する前記属性情報に基づいて、前記属性情報が同一の複数の前記小組を配置した台紙ファイルを前記属性情報ごとに生成することを特徴とする台紙ファイル生成方法である。
【００１０】
上記課題を解決するために、請求項４に記載の発明は、請求項３に記載の台紙ファイル生成方法であって、前記商品レコードは、前記商品を特定する識別情報を含み、前記属性情報を前記識別情報と同一値に設定することを特徴とする台紙ファイル生成方法である。
【００１１】
上記課題を解決するために、請求項５に記載の発明は、商品に関する情報を示す商品レコードを記憶するデータベースを有し、前記データベースから前記商品レコードを取得して台紙ファイルに割り付けて組版処理を行う組版装置における台紙ファイル生成プログラムであって、前記データベースは、各前記商品の属性情報を前記商品レコードにそれぞれ対応づけて記憶し、前記組版装置を、前記データベースから取得した前記商品レコードごとに、小組レイアウトデータに従って当該商品レコードを割り付けて小組を作成する小組作成手段と、複数の前記小組それぞれに割り付けられた前記商品レコードに対応する前記属性情報に基づいて、前記属性情報が同一の複数の前記小組を配置した台紙ファイルを前記属性情報ごとに生成する台紙ファイル生成手段として機能させることを特徴とする台紙ファイル生成プログラムである。
【００１２】
上記課題を解決するために、請求項６に記載の発明は、請求項５に記載の台紙ファイル生成プログラムであって、前記商品レコードは、前記商品を特定する識別情報を含み、前記組版装置を、前記属性情報を前記識別情報と同一値に設定する設定手段として機能させることを特徴とする台紙ファイル生成プログラムである。
【発明の効果】
【００１３】
本発明は、商品レコードに属性情報を対応づけ、属性情報に基づいて、属性情報が同一である複数の商品レコードを割り付けた台紙ファイルをそれぞれ生成するよう構成した。これにより、複数の商品の商品レコードのうち、属性情報が同一である商品の商品レコードのみが割り付けられた台紙ファイルを自動で取得することができ、後のデザイン作業を容易に行なうことができる。
【図面の簡単な説明】
【００１４】
【図１】本実施形態に係る組版装置１０の構成例を示す図である。
【図２】テキストデータベース１２１に登録された商品レコードの一例である。
【図３】台紙ファイルの概略説明図である。
【図４】台紙ファイル生成処理を示すフローチャートである。
【発明を実施するための形態】
【００１５】
本実施形態に係る組版装置の構成及び機能について説明する。
【００１６】
図１は、組版装置１０の構成例である。
【００１７】
組版装置１０は、演算機能を有するＣＰＵ、作業用ＲＡＭ、各種データ及びプログラム（本発明の台紙ファイル生成プログラムを含む）を記憶するＲＯＭ等から構成されたコンピュータとしての制御部１１、ハードディスクドライブ等を備える記憶部１２、液晶ディスプレイ等の表示画面を備える表示部１３、オペレータなどの割り付け作業者からの指示を受け付け当該指示に応じた指示信号を制御部１１に対して与える入力部（例えば、キーボード、マウス、或いは、操作パネル等）１４、ネットワーク（ＬＡＮ（Local Area Network）を含む）を介してデザイン依頼先のデザイナー事務所のコンピュータ、図示しない他のサーバ及び顧客コンピュータなどと通信を行なうための通信部１５を備えて構成されている。
【００１８】
記憶部１２は、テキストデータベース１２１、画像データベース１２２、小組レイアウトデータベース１２３、文字組体裁データベース１２４、台紙ファイルデータベース１２５、及び、後述する台紙ファイル集約フォルダ等を記憶する。
【００１９】
テキストデータベース１２１には、複数の商品の商品レコードがテキストデータとして登録されている。商品レコードとは、例えば、商品番号・商品名・価格・商品説明などの商品に関する情報である。図２にテキストデータベース１２１に登録された商品レコードの一例を示す。図２に示す例の場合、商品の属性情報を示す「グループタグ」が、商品を一意に特定するための識別情報としての「商品キー」、商品の名称を示す「商品名英字」、商品の値段を示す「価格」に対応付けて登録されている。例えば、種類やカテゴリーが同じである商品については、それぞれの商品の商品レコードに同一のグループタグを対応付け、複数の商品からなる“セット商品”として登録する。なお、「商品キー」には、例えば商品の型番等を使用することができる。
【００２０】
図２に示す例の場合、テキストデータの一行目の商品レコードと二行目の商品レコードが示す商品は、グループタグ「Ｇ１」のセット商品であり、テキストデータの三行目の商品レコードと四行目の商品レコードが示す商品は、グループタグ「Ｇ２」のセット商品である。
【００２１】
画像データベース１２２には、商品の画像データが登録されている。小組レイアウトデータベース１２３は、各商品の商品レコード及び画像データを割り付けて（流し込んで）小組を作成するためのものであり、各データが割りつけられる複数のフレーム枠から構成される小組レイアウトデータが登録されている。文字組体裁データベース１２４は、各商品の商品レコード及び画像データを小組レイアウトデータに基づいて割り付ける際の文字テキストの色、サイズ等の文字表示属性情報や、小組レイアウトデータを構成するフレームの線の色、太さ、形状等のオブジェクト表示属性情報が設定された文字組体裁データが登録されている。台紙ファイルデータベース１２５は、セット商品ごとに生成された台紙ファイルを記憶・保存するためのものである。台紙ファイルの生成については後に詳述する。
【００２２】
図３は、台紙ファイルの概略説明図である。
【００２３】
組版装置１０の制御部１１は、テキストデータベース１２１から商品レコードを取得し、画像データベース１２２から画像データを取得する。そして、小組レイアウトデータベース１２３の小組レイアウトデータに従って取得した商品レコード及び画像データを割り付ける。このとき、制御部１１は、文字組体裁データベース１２４の文字組体裁データを参照し、設定された文字表示属性情報及び表示属性情報に基づいて割り付けを行なって小組を作成する。
【００２４】
図３に示す例は、図２に示すテキストデータの四行目の商品レコード内容（商品キー「５」、商品名英字「ＡＢＣ  ＣＨＡＩＲ」、価格「\XX,XXX」）を小組レイアウトデータに従って割り付け、小組Ａを作成した場合の例である。作成された小組Ａは、グループタグに対応する台紙ファイル１２５ａに保存される。図３に示す例の場合、台紙ファイルデータベース１２５には、台紙ファイル名Ｇ１と台紙ファイル名Ｇ２の２つの台紙ファイル１２５ａが生成され、保存されている。グループタグ「Ｇ１」は、台紙ファイル名Ｇ１の台紙ファイル１２５ａに対応付けられており、グループタグ「Ｇ２」は、台紙ファイル名Ｇ２の台紙ファイル１２５ａに対応付けられている。従って、図２に示すテキストデータの４行目の商品レコードによって作成された小組Ａは、グループタグ「Ｇ２」に対応する台紙ファイル名「Ｇ２」の台紙ファイル１２５ａの所定の小組配置フレーム１２５ｂに配置、保存される。
【００２５】
同様に、図２に示すテキストデータの一行目の商品レコード内容に基づいて作成された小組と、二行目の商品レコード内容に基づいて作成された小組は、グループタグ「Ｇ１」のセット商品として台紙ファイル名Ｇ１の台紙ファイル１２５ａに配置、保存され、三行目の商品レコード内容に基づいて作成された小組は、グループタグ「Ｇ２」のセット商品として四行目の商品レコード内容に基づいて作成された小組Ａと共に台紙ファイル名Ｇ２の台紙ファイル１２５ａに配置、保存される。なお、台紙ファイル１２５ａのサイズや、台紙ファイル１２５ａにおける各小組配置フレーム１２５ｂの位置や割り付け方向等は適宜設定することができるものとする。また、本実施形態では、グループタグ名と台紙ファイル名とを同一名（グループタグ「Ｇ１」と台紙ファイル名Ｇ１、グループタグ「Ｇ２」と台紙ファイル名Ｇ２）で対応づけたが、同一名に限定されるものではなく、グループタグと台紙ファイルの対応付けができればよい。
【００２６】
このように、組版装置１０によりセット商品ごとに小組が保存された台紙ファイル１２５ａを生成することができる。そして、台紙ファイル１２５ａは、全て台紙ファイル集約フォルダＦに集約されて通信部１５を介してデザイナー事務所のコンピュータに送信される。その後、デザイナー事務所のコンピュータにて、台紙ファイル集約フォルダＦ内の各台紙ファイル１２５ａを開きながらセット商品ごとにデザイン作業が行なわれることとなる。
【００２７】
＜台紙ファイル生成処理＞
次に、本実施形態に係る組版装置１０の制御部１１の台紙ファイル生成処理について、図４を用いて説明する。
【００２８】
図４は、組版装置１０の制御部１１の台紙ファイル生成処理を示すフローチャートである。
【００２９】
この処理は、セット商品ごとに台紙ファイル１２５ａを生成する処理であり、オペレータによって処理の実行が指示（入力部１４の操作による）されることにより本発明における台紙ファイル生成プログラムが制御部１１により開始される。
【００３０】
先ず、制御部１１は、台紙ファイル集約フォルダＦが記憶部１２に既に作成されているか否かを判定する（ステップＳ１）。判定の結果、台紙ファイル集約フォルダＦが記憶部１２に既に作成されている場合（ステップＳ１：Ｙｅｓ）には、ステップＳ３へ移行し、台紙ファイル集約フォルダＦが記憶部１２に作成されていない場合（ステップＳ１：Ｎｏ）には、制御部１１は、記憶部１２に台紙ファイル集約フォルダＦを作成して（ステップＳ２）ステップＳ３へ移行する。
【００３１】
そして、制御部１１は、テキストデータベース１２１に登録された商品レコード数ｋを取得する（ステップＳ３）。例えば、図２に示すテキストデータベース１２１の場合、商品レコード数ｋ＝４と取得される。
【００３２】
続いて、制御部１１は、ステップＳ４乃至ステップＳ１２の割り付け処理を行なう。割り付け処理は、ステップＳ３で取得した商品レコード数ｋ回分、各商品レコードに対して行われる処理である。
【００３３】
まず、制御部１１は、i番目の商品レコードのグループタグ値を取得する（ステップＳ５）。なお、ステップＳ５の処理を最初に行なう際のｉ値は「１」である。
【００３４】
次に、制御部１１は、取得したグループタグ値に対応する台紙ファイル１２５ａを生成し台紙ファイルデータベース１２５に保存する（ステップＳ６）。
【００３５】
そして、制御部１１は、ｉ番目の商品レコードを割り付けて小組を作成し、作成した小組をステップＳ６で生成した台紙ファイル１２５ａの所定位置に配置する（ステップＳ７）。次に、制御部１１は、i＋１番目の商品レコードのグループタグ値を取得し（ステップＳ８）、i番目の商品レコードのグループタグ値と、i＋１番目の商品レコードのグループタグ値が異なるか否かを判定する（ステップＳ９）。判定の結果、i番目の商品レコードのグループタグ値と、i＋１番目の商品レコードのグループタグ値が異ならない場合（つまり、同一の場合）には（ステップＳ９：Ｎｏ）、制御部１１は、ｉ値を「１」インクリメントし（ステップＳ１０）、ステップＳ７へ移行する。
【００３６】
一方、ステップＳ９の判定の結果、i番目の商品レコードのグループタグ値と、i＋１番目の商品レコードのグループタグ値が異なる場合には（ステップＳ９：Ｙｅｓ）、制御部１１は、ｉ値を「１」インクリメントし（ステップＳ１１）、ステップＳ１２へ移行する。
【００３７】
そして、制御部１１は、ステップＳ１２において、全ての商品レコードの割り付けが行われたか否かを判定する（ステップＳ１２）。具体的に、ｉ値とステップＳ３で取得した商品レコード数ｋが等しいか否かを判定し、異なる場合にはステップＳ３で取得した商品レコード数ｋ回分の処理を未だ行なっていないと判定し、ステップＳ４に戻りステップＳ５乃至ステップＳ１１の処理を繰り返し行なう。そして、ステップＳ１２において、ｉ値と商品レコード数ｋが等しいと判定された場合には、ステップＳ３で取得した商品レコード数ｋ回分の処理を行ない、全ての商品レコードの割り付けを行ったと判定し（ステップＳ１２）、処理を終了する。以上の処理で生成された各台紙ファイル１２５ａは、制御部１１により記憶部１２の台紙ファイル集約フォルダＦに集約され、通信部１５を介してデザイナー事務所のコンピュータに送信される。
【００３８】
以上説明したように、本実施形態では、商品レコードにグループタグを対応づけ、グループタグ毎に台紙ファイル１２５ａを生成し、グループタグが同一である複数の商品レコードを割り付けた台紙ファイル１２５ａを生成するよう構成した。これにより、複数の商品の商品レコードのうち、セット商品の商品レコードのみが割り付けられた台紙ファイル１２５ａを得ることができ、後のデザイン作業を容易に行なうことができる。
【００３９】
なお、本実施形態では、ステップＳ５及びステップＳ６に記載したように、各商品レコードについて順にグループタグ値に対応する台紙ファイル１２５ａを生成したが、テキストデータベース１２１に登録されている全商品レコードのグループタグ分の全ての台紙ファイル１２５ａを初めにまとめて生成してもよい。
【００４０】
変形例として、制御部１１は、テキストデータベース１２１に記憶されたテキストデータについて、グループタグ値を、商品レコードの各商品を特定する「商品キー」と同一の値と設定する構成することもできる。この構成によれば、各商品にそれぞれ１つの台紙ファイル１２５ａを生成することができる。
【符号の説明】
【００４１】
１０    組版装置
１１  制御部
１２  記憶部
１２１  テキストデータベース
１２２  画像データベース
１２３  小組レイアウトデータベース
１２４  文字組体裁データベース
１２５  台紙ファイルデータベース
１２５ａ  台紙ファイル
１２５ｂ  小組配置フレーム
１３  表示部
１４  入力部
１５  通信部
Ａ  小組
Ｆ  台紙ファイル集約フォルダ
【図１】
0005593760.tif 000002
【図２】
0005593760.tif 000003
【図３】
0005593760.tif 000004
【図４】
0005593760.tif 000005